(57)【要約】【課題】食器等の被洗浄物に洗浄水を噴射して洗浄する食器洗い機において、洗浄性能を大幅に向上した食器洗い機を実現する。【解決手段】図１において、洗剤液作成部１３は、洗浄槽２の前端の一辺に沿った位置に、洗浄槽２と隔壁１４を隔てて形成し、隔壁１４の一部を切り欠いて洗浄槽２と連通しており、その内方に、洗剤液作成部１３内で作成した洗剤液を霧化するための霧化発生手段１５を配置するとともに、洗剤液作成部１３内に洗浄用洗剤を導入する洗剤投入部２０を、洗剤液作成部１３の上方に配置したものであり、確実に所定の濃度すなわち通常使用時の洗剤濃度より高濃度の洗剤液を飛散させ、満遍なく被洗浄物に付着させることができ、被洗浄物に付着させた高濃度の洗剤の化学力とその後の本洗浄工程により、洗浄性能を大幅に向上することができる。【選択図】図１
2005230225.tif 000002
【特許請求の範囲】
【請求項１】
食器等の被洗浄物を出し入れする開口部を有する洗浄槽と、この洗浄槽内で高濃度の洗剤液を霧化する霧化発生手段と、この霧化発生手段に洗浄用洗剤を導入する洗剤投入部とを備え、洗剤投入部は、洗浄槽の開口部近傍に配置した食器洗い機。
【請求項２】
前方に開口部を有する洗浄槽と、この洗浄槽の開口部を開閉する扉と、前記洗浄槽内で高濃度の洗剤液を霧化する霧化発生手段とを備え、霧化発生手段は、洗浄槽の前端の一辺の近傍に配置した食器洗い機。
【請求項３】
前方に開口部を有する洗浄槽と、この洗浄槽の開口部を開閉する扉と、前記洗浄槽内で高濃度の洗剤液を霧化する霧化発生手段と、この霧化発生手段に洗浄用洗剤を導入する洗剤投入部とを備え、洗剤投入部は、洗浄槽の前端の一辺の近傍に配置した食器洗い機。
【請求項４】
食器等の被洗浄物を収納する食器かごと、この食器かごを収容する洗浄槽と、この洗浄槽内で高濃度の洗剤液を霧化する霧化発生手段と、この霧化発生手段に洗浄用洗剤を導入する洗剤投入部とを備え、洗剤投入部は、食器かご内で霧化発生手段に対向する位置に設けた食器洗い機。
【請求項５】
前方に開口部を有する洗浄槽と、この洗浄槽の開口部の下方の一辺に略平行な軸を回転中心として前記洗浄槽の開口部を開閉する扉と、前記洗浄槽内で高濃度の洗剤液を霧化する霧化発生手段と、この霧化発生手段に洗浄用洗剤を導入する洗剤投入部とを備え、洗剤投入部は、扉の内面側で霧化発生手段に対向する位置に設けた食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、洗剤を溶かしながら食器等の被洗浄物に噴射して洗浄を行っていた（例えば、特許文献１参照）。図５は、一般的な食器洗い機を示したもので、以下その構成について説明する。食器洗い機本体１は、内部に洗浄槽２を設けており、この洗浄槽２内へ給水弁３により水または湯を供給するようにしている。ここで、その洗浄水の供給は、水位センサ（図示せず）を利用して適切な水位に設定し、給水弁３からの給水を自動的に止める。洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。
【０００３】
以上のように構成された食器洗い機について、その動作を以下に説明する。洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物（食器）８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【０００４】
また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成した食器かご１０を設置して効率的に洗浄を行っている。また、排水ポンプ１１は、洗浄水を機外に排出するものである。さらに、制御手段１２により、給水弁３や洗浄ポンプ５等の電装部品を駆動、制御している。
【特許文献１】特開２００３−２１０３７８号公報
【発明の開示】
【発明が解決しようとする課題】
【０００５】
しかしながら、このような従来の構成では、食器洗い機で洗浄するすべての汚れに対して洗浄ができるというわけではなかった。特に、直接加熱し焦げ付きのある調理を行う料理に対しては、苦手である。例えば、グラタン、茶碗蒸し等のようなものである。
【０００６】
この解決策として、通常使用時の洗剤濃度より高濃度の洗剤液を被洗浄物に付着させて放置する前処理行程を有することにより、洗浄性能を大幅に向上することができ、従来ではとれなかった料理の汚れを洗浄できるようにすることができる。
【０００７】
ここで、高濃度の洗剤液を霧化して被洗浄物に付着させるために、霧化発生手段に洗剤を投入して高濃度の洗剤液を作成する必要がある。この場合、霧化発生手段に洗剤を導入する洗剤投入部を洗浄槽の開口面から遠くに配置すると、洗剤が洗剤投入部に確実に投入されず、霧化発生手段に所定量の洗剤が導入されないため、洗剤液が所定の濃度を確保できなくなり、洗浄性能の大幅な向上が実現できなくなるといった不具合が発生する。
【０００８】
本発明は、上記従来の課題を解決するもので、洗剤投入部を開口面の近傍に配置することにより、霧化発生手段に確実に所定量の洗剤を導入することにより、通常使用時の洗剤濃度より高濃度の洗剤液を満遍なく被洗浄物に付着させ、被洗浄物に付着させた高濃度の洗剤の化学力により洗浄性能を大幅に向上した食器洗い機を提供することを目的としている。
【課題を解決するための手段】
【０００９】
本発明は上記目的を達成するために、食器等の被洗浄物を出し入れする開口部を有する洗浄槽と、この洗浄槽内で高濃度の洗剤液を霧化する霧化発生手段と、この霧化発生手段に洗浄用洗剤を導入する洗剤投入部とで構成し、洗剤投入部は、洗浄槽の開口部近傍に配置した食器洗い機である。
【００１０】
これにより、霧化発生手段に所定量の洗剤を確実に導入し、霧化する洗剤液の濃度を確保することができ、通常使用時の洗剤濃度より高濃度の洗剤液を満遍なく被洗浄物に付着させることができて、被洗浄物に付着させた高濃度の洗剤の化学力により洗浄性能を大幅に向上するものである。
【発明の効果】
【００１１】
本発明の食器洗い機は、霧化発生手段に所定量の洗剤を確実に導入することにより、霧化する洗剤液の濃度を確保することができ、通常使用時の洗剤濃度より高濃度の洗剤液を満遍なく被洗浄物に付着させることができて、被洗浄物に付着させた高濃度の洗剤の化学力により洗浄性能を大幅に向上した食器洗い機を実現することができる。
【発明を実施するための最良の形態】
【００１２】
第１の発明は、食器等の被洗浄物を出し入れする開口部を有する洗浄槽と、この洗浄槽内で高濃度の洗剤液を霧化する霧化発生手段と、この霧化発生手段に洗浄用洗剤を導入する洗剤投入部とを備え、洗剤投入部は、洗浄槽の開口部近傍に配置したことにより、洗剤投入部への洗剤の投入が容易であり、霧化発生手段に確実に所定量の洗剤を導入できるため、所定の濃度の洗剤液を作成することができ、通常使用時の洗剤濃度より高濃度の洗剤液を飛散させ、満遍なく被洗浄物に付着させることができて、被洗浄物に付着させた高濃度の洗剤の化学力により洗浄性能を大幅に向上することができる。
【００１３】
第２の発明は、前方に開口部を有する洗浄槽と、この洗浄槽の開口部を開閉する扉と、前記洗浄槽内で高濃度の洗剤液を霧化する霧化発生手段とを備え、霧化発生手段は、洗浄槽の前端の一辺の近傍に配置したことにより、霧化発生手段への洗剤の投入が容易であり、確実に高濃度の洗剤液を飛散させて被洗浄物に付着させることができ、洗浄性能を大幅に向上することができる。
【００１４】
第３の発明は、前方に開口部を有する洗浄槽と、この洗浄槽の開口部を開閉する扉と、前記洗浄槽内で高濃度の洗剤液を霧化する霧化発生手段と、この霧化発生手段に洗浄用洗剤を導入する洗剤投入部とを備え、洗剤投入部は、洗浄槽の前端の一辺の近傍に配置したことにより、洗剤投入部への洗剤の投入が容易であり、霧化発生手段に確実に所定量の洗剤を導入できるため、確実に高濃度の洗剤液を飛散させて被洗浄物に付着させることができ、洗浄性能を大幅に向上することができる。
【００１５】
第４の発明は、食器等の被洗浄物を収納する食器かごと、この食器かごを収容する洗浄槽と、この洗浄槽内で高濃度の洗剤液を霧化する霧化発生手段と、この霧化発生手段に洗浄用洗剤を導入する洗剤投入部とを備え、洗剤投入部は、食器かご内で霧化発生手段に対向する位置に設けたことにより、洗剤投入部への洗剤の投入がより容易なため、霧化発生手段に確実に所定量の洗剤を導入でき、確実に高濃度の洗剤液を飛散させて被洗浄物に付着させることができるため、使用勝手を良化し、洗浄性能を大幅に向上することができる。
【００１６】
第５の発明は、前方に開口部を有する洗浄槽と、この洗浄槽の開口部の下方の一辺に略平行な軸を回転中心として前記洗浄槽の開口部を開閉する扉と、前記洗浄槽内で高濃度の洗剤液を霧化する霧化発生手段と、この霧化発生手段に洗浄用洗剤を導入する洗剤投入部とを備え、洗剤投入部は、扉の内面側で霧化発生手段に対向する位置に設けたことにより、洗剤投入部への洗剤の投入がより容易なため、霧化発生手段に確実に所定量の洗剤を導入でき、確実に高濃度の洗剤液を飛散させて被洗浄物に付着させることができるため、使いってを良化し、洗浄性能を大幅に向上するとともに、洗剤投入部を扉の内面側に一体で設けることができるため、より廉価な食器洗い機を提供することができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の実施の形態１における食器洗い機の縦断面図、図２は、霧化発生手段の縦断面図（要部拡大縦断面図）である。図１において、洗剤液作成部１３は、洗浄槽２の前端の一辺に沿った位置に、洗浄槽２と隔壁１４を隔てて形成し、隔壁１４の一部を切り欠いて洗浄槽２と連通しており、その内方に、洗剤液作成部１３内で作成した洗剤液を霧化するための霧化発生手段１５を配置している。霧化発生手段１５は、図２に示すように、下面に超音波振動子（霧化発生用振動子）１６を配置し、この超音波振動子１６の振動面の上方に封入液体１７を封入した容器１８を配置し、封入液体１７と容器１８とで構成する振動伝達物質を介して、容器１８の超音波振動子１６に対向した面すなわち霧化発生面１９を振動させ、洗剤液作成部１３内の洗剤液を霧化するよう構成している。さらに、洗剤液作成部１３内に洗浄用洗剤を導入する洗剤投入部２０を、洗剤液作成部１３の上方に配置している。
【００１９】
以上のように構成した食器洗い機について、その動作、作用を説明する。洗剤投入部２０に所定量の洗剤を入れると、洗剤液作成部１３内に洗剤が導入される。次に、動作を開始すると、給水弁３を開いて所定量の水量の洗浄水を給水する。洗浄水は、洗浄槽２より隔壁１４の切り欠き部を通って、洗剤液作成部１３に浸入し、洗剤の一部が洗浄水に溶ける。この時点において、超音波振動子１６を駆動すると、その振動が封入液体１７を伝播し、封入液体１７と容器１８を介して、霧化発生面１９を振動させる。
【００２０】
このとき、霧化発生面１９の位置は、超音波振動子１６の振動振幅が最大になる位置に配置しておくと、霧化発生面１９を大きく振動させることができる。この振動により、さらに上面にある洗浄水を振動させて、洗浄水を霧化し、同時に、洗剤液作成部１３にセットした洗剤も溶かしながら、洗浄槽２内に高濃度の洗剤液を飛散させ、この高濃度の洗剤液を被洗浄物８に付着させることができる。
【００２１】
洗浄行程の前処理行程として、上述のように、霧化発生手段１５より洗浄槽２内に高濃度の洗剤液を飛散させ、この高濃度の洗剤液を被洗浄物８に付着させ、その状態で放置すると、高濃度の洗剤液が被洗浄物８に付着している汚れを化学的に分解する。
【００２２】
前処理行程の後の本洗浄行程では、前処理行程で高濃度洗剤液により特定の汚れを分解した後の汚れに対して、従来の食器洗い機としての洗浄を行う。
【００２３】
被洗浄物８の汚れにおいては、温度や機械力（洗浄ノズル７からの洗浄水の噴射の勢い）が非常に効果的なものもある。また、前処理行程で分解をした汚れにおいてもそれだけで洗浄できるものではなく、同様に温度や機械力によって確実に洗浄できるようにする。しかしながら、この前処理行程での高濃度洗剤液の付着後の放置による汚れの分解は、従来では取れなかった汚れの種類に対して非常に有効である。
【００２４】
本発明の洗剤投入部２０は、洗浄槽２の前端に沿って配置した洗剤液作成部１３の上方に配置しているため、使用者が洗剤を投入するときに、容易かつ確実に洗剤投入部２０に洗剤を投入でき、洗剤液作成部１３に導入することができる。これにより、確実に所定の濃度すなわち通常使用時の洗剤濃度より高濃度の洗剤液を飛散させ、満遍なく被洗浄物に付着させることができ、被洗浄物に付着させた高濃度の洗剤の化学力とその後の本洗浄工程により、洗浄性能を大幅に向上した食器洗い機を実現することができる。
【００２５】
なお、洗剤投入部２０が無く、洗剤液作成部１３に洗剤を直接投入する構成でも同様の効果が得られるのは言うまでも無い。
【００２６】
（実施の形態２）
図３は、本発明の実施の形態２における食器洗い機の縦断面図である。図３において、扉２１は、洗浄槽２の開口部の下方の一辺に略平行な回転中心軸を有し、洗浄槽２の開口部を開閉する。被洗浄物８を収容する食器かご１０は、扉２１を開けた状態で、扉２１の上面と、洗浄槽２との間で、移動可能に構成している。食器かご１０には、その前端側で、洗浄槽２の前端に設けた洗剤液作成部１３と対向する位置に、洗剤投入部２２を配置している。他の構成は、上記実施の形態１と同じであり、詳細な説明は省略する。
【００２７】
以上のように構成した食器洗い機について、その動作、作用を説明する。洗剤投入部２２に所定量の洗剤を入れると、洗剤投入部２２と対向する位置にある洗剤液作成部１３内に洗剤が導入される。その後、実施の形態１で示したと同じ動作を行うことにより、洗浄槽２内に高濃度の洗剤液を飛散させ、この高濃度の洗剤液を被洗浄物８に付着することができる。前処理行程の後の本洗浄行程では、前処理行程で高濃度洗剤液により特定の汚れを分解した後の汚れに対して、従来の食器洗い機としての洗浄を行う。
【００２８】
本発明の洗剤投入部２２は、食器かご１０の前端に設けているため、使用者が洗剤を投入するときに、容易かつ確実に洗剤投入部２２に洗剤を投入でき、洗剤液作成部１３に導入することができる。これにより、確実に所定の濃度すなわち通常使用時の洗剤濃度より高濃度の洗剤液を飛散させ、満遍なく被洗浄物に付着させることができ、被洗浄物に付着させた高濃度の洗剤の化学力とその後の本洗浄工程により、洗浄性能を大幅に向上した食器洗い機を実現することができる。
【００２９】
なお、洗剤投入部２２を食器かご１０内の他の部品、例えば小物食器かご２３などと一体に構成すれば、より廉価な食器洗い機が提供でき、同様の効果が得られるのは言うまでも無い。
【００３０】
（実施の形態３）
図４は、本発明の実施の形態３における食器洗い機の縦断面図である。図４において、扉２１の内面側すなわち洗浄槽２側で、洗浄槽２の前端に設けた洗剤液作成部１３と対向する位置に、扉２１に一体に構成した洗剤投入部２４を配置している。他の構成は、上記実施の形態２と同じであり、詳細な説明は省略する。
【００３１】
以上のように構成した食器洗い機について、その動作、作用を説明する。洗剤投入部２４に所定量の洗剤を入れて、扉２１を閉じると、洗剤投入部２４と対向する位置にある洗剤液作成部１３内に洗剤が導入される。その後、実施の形態１で示したと同じ動作を行うことにより、洗浄槽２内に高濃度の洗剤液を飛散させ、この高濃度の洗剤液を被洗浄物８に付着することができる。前処理行程の後の本洗浄行程では、前処理行程で高濃度洗剤液により特定の汚れを分解した後の汚れに対して、従来の食器洗い機としての洗浄を行う。
【００３２】
本発明の洗剤投入部２４は、扉２１を開いたときの上面側に配置しているため、使用者が洗剤を投入するときに、容易かつ確実に洗剤投入部２４に洗剤を投入でき、洗剤液作成部１３に導入することができる。これにより、確実に所定の濃度すなわち通常使用時の洗剤濃度より高濃度の洗剤液を飛散させ、満遍なく被洗浄物に付着させることができ、被洗浄物に付着させた高濃度の洗剤の化学力とその後の本洗浄工程により、洗浄性能を大幅に向上した食器洗い機を実現することができる。また、使用者が洗剤を投入するタイミングは、被洗浄物８を食器かご２２にセットする前でも後でもどちらでもよく、使用勝手の良い食器洗い機を提供できる。さらに、洗剤投入部２４は、扉２１と一体に構成しているため、より廉価な食器洗い機を提供できる。
【産業上の利用可能性】
【００３３】
以上のように、本発明にかかる食器洗い機は、霧化発生手段に所定量の洗剤を確実に導入することにより、霧化する洗剤液の濃度を確保することができ、通常使用時の洗剤濃度より高濃度の洗剤液を満遍なく被洗浄物に付着させることができて、被洗浄物に付着させた高濃度の洗剤の化学力により洗浄性能を大幅に向上することが可能となるので、食器等の被洗浄物に洗浄水を噴射して洗浄する食器洗い機等として有用である。
【図面の簡単な説明】
【００３４】
【図１】本発明の実施の形態１の食器洗い機の縦断面図
【図２】同食器洗い機の霧化発生手段の要部拡大断面図
【図３】本発明の実施の形態２の食器洗い機の縦断面図
【図４】本発明の実施の形態３の食器洗い機の縦断面図
【図５】従来の食器洗い機の縦断面図
【符号の説明】
【００３５】
２  洗浄槽
８  被洗浄物
１０  食器かご
１５  霧化発生手段
２０、２２  洗剤投入部
２１  扉
【図１】
2005230225.tif 000003
【図２】
2005230225.tif 000004
【図３】
2005230225.tif 000005
【図４】
2005230225.tif 000006
【図５】
2005230225.tif 000007